(57)【特許請求の範囲】
【請求項１】
複数の画素が行列状に配置された液晶表示パネルを有し、複数の水平走査線によって構成された映像信号を入力し、この映像信号に基づき各水平走査線に対応した映像を前記液晶表示パネルを構成する各行に順次表示させる液晶表示装置において、
１フレームの映像を奇数フィールドおよび偶数フィールドに分割して、前記映像信号に基づき、当該映像信号によって表された映像を前記液晶表示パネルに表示させるための表示信号を発生する映像信号処理手段と、
所定の色を前記液晶表示パネルに表示させるためのマスク信号を発生するマスク信号発生手段と、
前記表示信号または前記マスク信号の一方を選択信号に基づいて選択して出力する切替回路と、
表示対象を表す表示信号が前記映像信号処理手段から出力される期間は該表示信号を選択するための前記選択信号を前記切替回路に供給すると共に他の期間は前記マスク信号を選択するための前記選択信号を前記切替回路に供給し、前記切替回路を介して出力される表示信号およびマスク信号を前記液晶表示パネルの所定の領域の画素に各々供給すると共に、前記マスク信号を供給する期間においては、前記奇数フィールドおよび偶数フィールド内の予め定められた行をなす画素に対して同時に前記マスク信号を順次供給し、前記表示信号を前記所定の領域の画素に供給する期間において、前記水平走査線を単位として前記表示信号の間引きを行うためのタイミング信号を出力するタイミング信号発生手段と
を具備することを特徴とする液晶表示装置。
【請求項２】
前記映像信号は複数のフィールドから構成され、
前記タイミング信号は、前記複数のフィールド毎に異なる間引き方により前記表示信号の間引きを行う信号であることを特徴とする請求項１記載の液晶表示装置。
【発明の詳細な説明】
【０００１】
【発明の属する技術分野】
この発明は、いわゆるアクティブマトリクスタイプの液晶表示装置に関する。
【０００２】
【従来の技術】
アクティブマトリクス型液晶表示装置は、複数の走査線と複数のデータ線を直交させて配置し、これらの走査線およびデータ線の各交差部にＴＦＴ（薄膜トランジスタ）等のスイッチングトランジスタと液晶駆動のための電極とを配置してなるものである。この種の液晶表示装置においては、各スイッチングトランジスタを介して電極に信号電圧が印加されることにより画素の表示が行われるが、その際にスイッチングトランジスタおよび電極が信号電圧を保持する作用を発揮するため、信号電圧の減衰が少なく、従って高階調度での表示を行うことができる。このため、アクティブマトリクス型液晶表示装置は、次第にその用途が拡大されつつある。
【０００３】
【発明が解決しようとする課題】
さて、一般的に表示装置は、表示対象である映像信号のアスペクト比に対応しての画素の配置が決定される。例えばＮＴＳＣ方式の映像信号は概ね４：３（以下、単に４：３と表現する）のアスペクト比に対応しているが、この映像信号を表示するための表示装置はこのアスペクト比に適合するように各画素の位置が決められているのである。
【０００４】
しかしながら、用途によっては、最適なアスペクト比とは異なったアスペクト比に対応した映像信号が表示装置に与えられ、その表示が行われる場合がある。例えば、ビデオカメラによって撮影されるワイド映像の映像信号は概ね１６：９（以下、単に１６：９と表現する）のアスペクト比に対応したものとなっている。このような１６：９のアスペクト比の映像信号の表示を４：３のアスペクト比に適合した表示装置により行うと、本来の映像が横方向に圧縮され、縦長に歪んだ形の映像が表示されることとなる。
【０００５】
このような不具合を解消する手段として、表示装置自体を１６：９のアスペクト比に対応したものに設計変更することも考えられるが、かかる手段を採った場合には４：３のアスペクト比に対応した映像信号を正常に表示することができなくなってしまう。
【０００６】
そこで、この場合の１つの解決策として、表示装置に適合しないアスペクト比の映像信号が供給される場合には、その映像信号に対応した映像を縦方向または横方向に一律に圧縮して表示させることにより歪みのない表示を行うという手段が考えられる。
【０００７】
この場合、１画面分の映像を圧縮して表示させるのであるから、表示画面には映像の表示されない余白領域が生じることとなり、かかる余白領域の表示の取扱いが問題となる。ここで、映像信号に対応した映像を表示させる際には、ビデオクロマ回路等の映像信号処理系により映像信号をＲＧＢ信号等のカラー信号に変換し、このカラー信号を表示装置に供給するのが一般的であるから、この映像信号処理系において、例えばオンスクリーン機能等の外部映像入力機能を用いて、黒色を表示させるためのＲＧＢ信号を発生し、表示装置に供給するという方法が考えられる。しかしながら、この方法を採るものとすると、映像信号処理系が黒色表示に対応したＲＧＢ信号の生成を止めて映像信号に対応したＲＧＢ信号の生成を開始する際にＲＧＢ信号のレベルの制御が過渡的に不安定な状態となるという問題が生じる。また、ビデオクロマ回路等の映像信号処理系は、一般にその大部分がＩＣ化されているため、この部分については設計変更をすることなく上記余白領域の表示制御を実現するのが好ましい。
【０００８】
この発明は、以上の事情に鑑みてなされたものであり、映像信号処理系についての設計変更を行うことなく、種々のアスペクト比に対応した映像信号の映像を表示することができ、かつ、その場合に表示画面に生じる余白領域に一定の色を表示することができる液晶表示装置を提供することを目的としている。
【０００９】
【課題を解決するための手段】
この発明は、複数の画素が行列状に配置された液晶表示パネルを有し、複数の水平走査線によって構成された映像信号を入力し、この映像信号に基づき各水平走査線に対応した映像を前記液晶表示パネルを構成する各行に順次表示させる液晶表示装置において、１フレームの映像を奇数フィールドおよび偶数フィールドに分割して、前記映像信号に基づき、当該映像信号によって表された映像を前記液晶表示パネルに表示させるための表示信号を発生する映像信号処理手段と、所定の色を前記液晶表示パネルに表示させるためのマスク信号を発生するマスク信号発生手段と、前記表示信号または前記マスク信号の一方を選択信号に基づいて選択して出力する切替回路と、表示対象を表す表示信号が前記映像信号処理手段から出力される期間は該表示信号を選択するための前記選択信号を前記切替回路に供給すると共に他の期間は前記マスク信号を選択するための前記選択信号を前記切替回路に供給し、前記切替回路を介して出力される表示信号およびマスク信号を前記液晶表示パネルの所定の領域の画素に各々供給すると共に、前記マスク信号を供給する期間においては、前記奇数フィールドおよび偶数フィールド内の予め定められた行をなす画素に対して同時に前記マスク信号を順次供給し、前記表示信号を前記所定の領域の画素に供給する期間において、前記水平走査線を単位として前記表示信号の間引きを行うためのタイミング信号を出力するタイミング信号発生手段とを具備することを特徴とする液晶表示装置を要旨とするものである。
また、本発明は、前記映像信号は複数のフィールドから構成され、前記タイミング信号は、前記複数のフィールド毎に異なる間引き方により前記表示信号の間引きを行う信号であることを特徴としている。
【００１０】
かかる発明によれば、液晶表示パネルの所定の領域については表示信号に基づく表示が行われ、他の領域についてはマスク信号に基づく表示が行われる。ここで、マスク信号は表示信号とは別の手段によって生成するため、表示信号を生成するための映像信号処理手段については何等設計変更の必要はない。また、マスク信号を発生するために、映像信号処理手段の機能が損われることもない。
【００１１】
【発明の実施の形態】
以下、図面を参照し、本発明の実施の形態について説明する。
Ａ．本実施形態の構成
図１はこの発明の一実施形態である液晶表示装置の構成を示すブロック図である。同図に示すように、本実施形態に係る液晶表示装置は、ビデオクロマ回路１、マスク信号発生回路２、切替回路３、液晶表示パネル４、データ線駆動回路５、走査線駆動回路６およびタイミング信号発生回路７を有している。尚、本実施形態は、データ線駆動回路５と走査線駆動回路６を、液晶表示パネル４内に形成した場合と液晶表示パネル４外に配置し液晶表示パネル４に接続した場合の両方について成立する。
【００１２】
この液晶表示装置は、図示しないチューナまたはパーソナルコンピュータ等からＮＴＳＣ方式の映像信号ＶＩＤＥＯが供給される。周知の通り、ＮＴＳＣ方式においては１画面が５２５本の水平走査線（線画像）によって表現され、この５２５本の水平走査線に対応した映像信号に水平同期信号および垂直同期信号を付加することにより１画面分の映像信号が構成される。このような映像信号ＶＩＤＥＯが一定のフレーム周期毎に１画面の伝送レートでこの液晶表示装置に供給され、液晶表示パネル４によりその表示が行われるのである。
【００１３】
ビデオクロマ回路１は、このようにして供給される映像信号ＶＩＤＥＯに基づき、ＲＧＢ信号および同期信号ＣＳＹＮＣを発生し出力する回路である。ここで、ＲＧＢ信号は、液晶表示パネル４を構成する各画素の表示色を決定付けるＲ、Ｇ、Ｂの３色分のアナログ信号により構成されており、映像信号ＶＩＤＥＯにおける上記水平走査線に対応した映像信号に基づいて生成される。また、同期信号ＣＳＹＮＣは、映像信号ＶＩＤＥＯに含まれていた水平同期信号と垂直同期信号とからなる信号である。
【００１４】
マスク信号発生回路２は、ＭＡＳＫ信号を発生する回路である。このＭＡＳＫ信号は、映像の表示されない余白領域が液晶表示パネル４に生じる場合に、その余白領域に黒、白、あるいは灰色等の中間調の色（以下、マスクカラーという。）を表示させるための信号である。すなわち、本実施形態においては映像信号ＶＩＤＥＯに基づいて生成されたＲＧＢ信号により液晶表示パネル４に表示を行わせるが、映像信号ＶＩＤＥＯの種類によっては、映像の表示されない余白領域が液晶表示パネル４に生じる場合がある。本実施形態においては、このようにして生じる余白領域にマスクカラーを表示させるのであるが、このマスクカラーの表示を行うための信号がＭＡＳＫ信号である。
【００１５】
ここで、液晶表示パネル４に映像とマスクカラーの両方を表示させるためには、ＲＧＢ信号およびＭＡＳＫ信号を切り替えて液晶表示パネル４に供給する必要がある。切替回路３は、このＲＧＢ信号とＭＡＳＫ信号の切り替えを行うために設けられた手段であり、アナログスイッチ等を用いて後述するタイミング信号発生回路７から供給される選択信号ＶＬＳに基づいてＲＧＢ信号とＭＡＳＫ信号の一方を選択し出力する。
【００１６】
次に液晶表示パネル４、データ線駆動回路５および走査線駆動回路６について説明する。まず、液晶表示パネル４は、表示のための画素を行列状に配置してなるものである。図２は、この液晶表示パネル４の基本的な構成を示したものである。液晶表示パネル４はカラー表示を行うものであるため、実際の画素はＲＧＢの３色の各々に対応した部分から成り立っているが、図２では煩雑になるのを避けるため、色についての図示は行っていない。
【００１７】
この図に示すように、液晶表示パネル４は、多数の走査線１１、１１、…と多数のデータ線１２、１２、…とを直交させて配置し、各走査線と各データ線の各交差部に画素を構成する電極１３（以下、画素電極という。）とＴＦＴ（薄膜トランジスタ）１４を各々配置したものである。各交差部に配置された画素電極１３は、基準電源に接続された共通電極との間に液晶を挟み込んでいる（図示略）。また、各交差部に配置されたＴＦＴ１４は、当該交差部の画素電極１３にドレインが接続され、当該交差部を構成する走査線１１およびデータ線１２にゲートおよびソースが各々接続されている。
【００１８】
このような構成において、例えば図２において最上段の走査線１１にＨレベルの電圧が印加されると、最上段の１行分のＴＦＴ１４、１４、…がＯＮ状態となる。この結果、各データ線１２、１２、…に出力された電圧がこれらのＴＦＴを介すことにより最上段の１行分の画素電極１３、１３、…に印加され、１行分の画素を表示するための液晶駆動が行われるのである。
【００１９】
データ線駆動回路５および走査線駆動回路６は、液晶表示パネル４を構成する各画素電極１３、１３、…にＲＧＢ信号またはＭＡＳＫ信号に対応した電圧を順次印加するための手段である。
【００２０】
さらに詳述すると、データ線駆動回路５は、次の構成要素から成り立っている。
ａ．液晶表示パネル４における１行分の画素に対応したサンプルホールド回路
これらのサンプルホールド回路には１行分の画素に対応したＲＧＢ信号またはＭＡＳＫ信号が順次保持され、液晶表示パネル４の各データ線に出力される。
【００２１】
ｂ．上記各サンプルホールド回路に対し切替回路３から出力されるＲＧＢ信号またはＭＡＳＫ信号を順次保持させる手段
この手段は、シフトレジスタにより構成されたポインタと、上記ＲＧＢ信号等をこのポインタによって指示されたサンプルホールド回路に供給する回路とにより構成されている。ここで、ポインタたるシフトレジスタには、シフトクロックＣＬＸおよび書込指令信号ＤＸが与えられる。これらは、いずれも後述するタイミング信号発生回路７によって発生される信号であるが、シフトクロックＣＬＸは一定の周波数で連続的に発生され、書込指令信号ＤＸは水平走査線１本分の映像を液晶表示パネル４の１行分の画素に表示させるのに先立って発生される。この書込指令信号ＤＸは、シフトレジスタによりシフトクロックＣＬＸに同期して順次後段のステージへシフトされる。そして、シフトレジスタの各ステージのうち、書込指令信号ＤＸを保持し出力しているステージに対応したサンプルホールド回路に対し、ＲＧＢ信号またはＭＡＳＫ信号が書き込まれる。
【００２２】
走査線駆動回路６は、シフトレジスタにより構成されている。このシフトレジスタは、データ線駆動回路５内のシフトレジスタと同様、ポインタとしての役割を担っており、後述するタイミング信号発生回路７によって発生される書込指令信号ＤＹを同回路から発生されるシフトクロックＣＬＹに同期して順次後段のステージへシフトする。このシフト動作により、シフトレジスタの各ステージから書込指令信号ＤＹが出力され、液晶表示パネル４の各行の走査線に順次与えられる。このようにして、液晶表示パネル４における行の選択がなされ、選択された行に属する各画素電極に対し、上記ドライバによって各データ線に出力された電圧が印加されるのである。
【００２３】
タイミング信号発生回路７は、ビデオクロマ回路１から出力される同期信号ＣＳＹＮＣに基づき、上述した書込指令信号ＤＸ、ＤＹ、シフトクロックＣＬＸ、ＣＬＹ等、液晶表示パネル４の表示制御に必要な各種のタイミング信号を発生する手段である。
【００２４】
ここで、液晶表示パネル４は、４：３のアスペクト比に対応した映像信号が供給されるのを想定して各画素電極の配置が決定されている。従って、このようなアスペクト比に対応した映像信号ＶＩＤＥＯがビデオクロマ回路１に供給される場合には、同回路から順次出力される各水平走査線に対応したＲＧＢ信号をそのまま液晶表示パネル４の各行に表示させればよく、タイミング信号発生回路７は、そのような表示制御のためのタイミング信号を出力する。
【００２５】
ところが、本実施形態においては、このような映像信号のみならず、１６：９のアスペクト比に対応した映像信号ＶＩＤＥＯをも取扱う。この１６：９のアスペクト比に対応した映像信号ＶＩＤＥＯから得られるＲＧＢ信号をそのまま液晶表示パネル４の各行に表示させると、行の並び方向に間延びした映像が表示されることとなる。そこで、このようなアスペクト比の映像信号ＶＩＤＥＯが供給される場合には以下の表示制御を行う。
【００２６】
ａ．間引き表示制御
映像信号ＶＩＤＥＯから得られる各水平走査線に対応したＲＧＢ信号をそのまま液晶表示パネル４に表示させるのではなく、水平走査線４本当たり１本の割合でＲＧＢ信号を間引き、残ったＲＧＢ信号を液晶表示パネル４に表示させる。タイミング信号発生回路７は、このような間引き表示に必要な書込指令信号ＤＸ、書込指令信号ＤＹおよびシフトクロックＣＬＹを発生する。なお、これらのタイミング信号の具体的な発生態様については本実施形態の動作説明の際に明らかにする。このような制御が行われる結果、ＲＧＢ信号によって表現された表示映像を疑似的に行方向に３／４に圧縮することになり、映像信号ＶＩＤＥＯによって表現された本来の映像が歪むことなく液晶表示パネル４に表示される。この場合に映像の表示態様には、図３に示すように液晶表示パネル４の上下方向中央に表示させる第１の表示モードと、図４に示すように液晶表示パネル４の上方に詰めて表示する第２の表示モードがある。使用者は、これらのうち所望の表示モードを選択することができる。
【００２７】
ｂ．マスクカラー表示制御
上記のＲＧＢ信号の間引きを行って液晶表示パネル４への表示を行うと、図３および図４に示すように、映像の表示されない余白領域が液晶表示パネル４に生じる。そこで、映像の表示を行わない期間を利用し、マスク信号発生回路２が発生するＭＡＳＫ信号を液晶表示パネル４に供給し、余白領域にマスクカラーを表示させる。タイミング発生回路７は、このマスクカラーの表示に必要な書込指令信号ＤＸ、書込指令信号ＤＹおよびシフトクロックＣＬＹを発生する。
【００２８】
Ｂ．本実施形態の動作
次に本実施形態の動作を説明する。なお、４：３のアスペクト比に対応した映像信号が供給される場合の動作は従来からある一般的な液晶表示装置の動作と変るところがないので説明を省略し、以下では１６：９のアスペクト比に対応した映像信号の表示を行う場合の動作のみを説明する。
【００２９】
（１）第１の表示モード
図５および図６は第１の表示モード（図３）において発生される各種タイミング信号の波形を示すタイムチャートであり、図５は１フレーム周期の前半の奇数フィールド期間内の各波形、図６は後半の偶数フィールド期間内の各波形を各々示している。また、図５および図６の最上段に“走査線Ｎｏ．”なる項目があるが、ここに示された一連の番号は、各時点においてビデオクロマ回路１から出力されるＲＧＢ信号に対応した水平走査線の番号を示すものである。
【００３０】
図５および図６に示すように、同期信号ＣＳＹＮＣは、映像信号ＶＩＤＥＯに元々含まれていた水平同期信号と垂直同期信号を含んでいる。タイミング信号発生回路７は、これらの水平同期信号と垂直同期信号とを分離して同期信号ＣＳＹＮＣから抽出し、信号ＯＦＨおよびＭＶＳＹＮＣとして出力する。
【００３１】
信号ＯＦＨは、タイミング信号発生回路７内に設けられたカウンタによってカウントされる。図５および図６には“内部カウント数”なる項目が設けられているが、このカウンタのカウント値を示すものである。
【００３２】
また、走査線Ｎｏ．４から走査線Ｎｏ．５へ移行するタイミングおよび走査線Ｎｏ．２６６から走査線Ｎｏ．２６７へ移行するタイミングにおいて、信号ＭＶＳＹＮＣがＨレベルとなってから信号ＯＦＨの最初の立ち上がりが存在するが、この信号ＯＦＨの立ち上がりが垂直系リセット信号として使用される。すなわち、この信号ＯＦＨの立ち上がりで、信号ＯＦＨのカウントを行うカウンタがリセットされる。従って、内部カウント数は、奇数フィールドにおいては１から２６２まで変化し、偶数フィールドにおいて１から２６３まで変化することとなる。また、上記垂直系リセット信号が現われる毎に信号ＭＦＳのレベルが反転される。
【００３３】
従って、信号ＭＦＳのレベルに基づき、現在が奇数フィールドであるか偶数フィールドであるかを判断することができ、内部カウント数に基づき、現在、ビデオクロマ回路１から出力されているＲＧＢ信号が現フィールドにおける何番目の水平走査線に対応したものであるかを判断することができる。タイミング信号発生回路７においては、これらの情報が時計代りに参照され、表示制御に必要なタイミング信号の発生制御が行われる。すなわち、次の通りである。
【００３４】
まず、シフトクロックＣＬＹは、正相クロックＣＬＹとこれを反転した逆相クロック（図５および図６では“ＣＬＹ”に上線を施した信号名で図示されている。）からなる２相クロックである。なお、図１では、図面が煩雑になるのを防ぐため、単に“ＣＬＹ”とした。このシフトクロックＣＬＹは、信号ＯＦＨを分周することにより生成されるものであるが、信号ＯＦＨの立ち上がりに同期して毎回レベル反転をする訳ではなく、ところどころレベル反転しない箇所がある。このシフトクロックＣＬＹのレベル反転の制御も上記内部カウント数の値に基づいて行われるのである。また、信号ＦＲＰは、ビデオクロマ回路１から出力されるＲＧＢ信号の極性を液晶表示パネル４の共通電極の電位に対してシフトクロックＣＬＹに同期して反転させるためのタイミング信号であり、ビデオクロマ回路１とマスク信号発生回路２に供給される。マスク信号発生回路２ではこの信号ＦＲＰが与えられることにより、液晶表示パネル４の共通電極の電位に対してシフトクロックＣＬＹに同期して極性反転されたＭＡＳＫ信号が出力される。
【００３５】
書込指令信号ＤＹは、各フィールドにおいて内部カウント数が「２５０」となってから「２５２」となるまでの期間、Ｈレベルとされる。この書込指令信号ＤＹはシフトクロックＣＬＹによって走査線駆動回路６に書き込まれ、以後はシフトクロックＣＬＹに同期して順次後段のステージへシフトされる。そして、内部カウント数が「２５７」となると、書込指令信号ＤＹが液晶表示パネル４の第１行目の走査線に接続されたステージまで到達し、当該走査線に書込指令信号ＤＹが出力される。この結果、その時点において液晶表示パネル４の各データ線に出力された電圧が第１行目の画素電極に印加される。
【００３６】
以後、シフトクロックＣＬＹに同期し、書込指令信号ＤＹのシフトが行われ、液晶表示パネル４の第２行目以降の各行の走査線に書込指令信号ＤＹが順次印加され、各行の各画素電極に対する書き込みが行われる。図５および図６の最下段には“パネルへの書込ライン”なる項目が設けられているが、ここに記載された一連の番号はこのようにして書き込みがなされる液晶表示パネル４の各行の番号を示したものである。
【００３７】
一方、偶数フィールドにおいて内部カウント数が「２５２」となると、選択信号ＶＬＳはＨレベルとなり、以後、奇数フィールドへと切り替わって内部カウント数が「２２」となるまでの期間、選択信号ＶＬＳはＨレベルを維持する。
【００３８】
従って、この間は、走査Ｎｏ．５１９〜５２５および走査線Ｎｏ．１〜２６に対応したＲＧＢ信号がビデオクロマ回路１から出力されるが、このＲＧＢ信号ではなく、ＭＡＳＫ信号が切替回路３によって選択される。そして、このＭＡＳＫ信号がデータ線駆動回路５を介して液晶表示パネル４の各データ線に出力され、走査線駆動回路６が出力する書込指令信号ＤＹによって指定された行の各画素電極に書き込まれる。また、この信号ＶＬＳがＨレベルである期間は、シフトクロックＣＬＹは信号ＯＦＨが立ち上がる毎にそのレベルが反転される。従って、この間は、走査線Ｎｏ．が更新される毎に液晶表示パネル４における書き込みを行う行番号が１ずつ更新されることとなる。
【００３９】
ところで、内部カウント数が「２５７」となってから「１８」となるまでの期間は、図５に示すように、液晶表示パネル４の行番号「１」〜「２４」の各行への書き込みが進められる。この書き込みは、内部カウント数が「２５０」となったときに出力された書込指令信号ＤＹが走査線駆動回路６内をシフトクロックＣＬＹに同期してシフトされる結果行われるものである。
【００４０】
一方、この書き込みと並行し、液晶表示パネル４の行番号「２０７」〜「２３０」の各行への書き込みが進められる。これは、上記書込指令信号ＤＹの走査線駆動回路６への書き込みが行われた時点よりも１フィールドだけ前のタイミングにおいて走査線駆動回路６内に書き込まれた書込指令信号ＤＹが走査線駆動回路６内に残っており、この書込指令信号ＤＹが出力されることにより行われるものである。
【００４１】
このように一定期間に亙り、液晶表示パネル４の各データ線に出力された電圧が２つの行の各画素電極に重複して書き込まれるため、液晶表示パネル４の余白領域にマスクカラーを表示させるための所要時間を調整することができる。
【００４２】
奇数フィールドにおいて内部カウント数が「２２」になると、選択信号ＶＬＳがＬレベルとされる。この結果、切替回路３によってＲＧＢ信号が選択され、データ線駆動回路５を介して液晶表示パネル４に供給され、映像の表示が開始される。この映像の表示が行われる期間、シフトクロックＣＬＹは、信号ＯＦＨの立ち上がりに応答して毎回レベル反転をするのでなく、３回レベル反転をした後、１回休む、というレベル変化を繰り返す。
【００４３】
そして、シフトクロックＣＬＹのレベル反転が生じないときには、書込指令信号ＤＸは発生されない。従って、このとき切替回路３を介して出力されるＲＧＢ信号は、データ線駆動回路５に対する書き込みが行われず、また、データ線駆動回路５から液晶表示パネル４のデータ線への出力も行われない。例えば図５における走査線Ｎｏ．２８，３２，３６の各ＲＧＢ信号は、その出力時点において書込指令信号ＤＸがデータ線駆動回路５に与えられないため、液晶表示パネル４への書き込みは行われない。
【００４４】
また、この書き込みが行われないときは、シフトクロックＣＬＹのレベル反転も起こらないため、走査線駆動回路６における書込指令信号ＤＹのシフトも行われず、液晶表示パネル４における書き込み対象たる行番号も変化しない。
【００４５】
このようにして、映像の表示が行われる期間においては、水平走査線４本に対し１本の割合でＲＧＢ信号の間引きが行われる。この結果、１６：９のアスペクト比に対応した映像信号の映像が歪むことなく液晶表示パネル４に表示されるのである。
【００４６】
そして、奇数フィールドにおいて内部カウント数が「２５２」となると、選択信号ＶＬＳがＨレベルとされ、以後、偶数フィールドへと切り替わり、内部カウント数が「２３」となるまでの期間、選択信号ＶＬＳはＨレベルを維持する（図６）。この間は、上述と同様、マスクカラーを表示するためのＭＡＳＫ信号の液晶表示パネル４への書き込みが行われる。
【００４７】
そして、偶数フィールドにおいて内部カウント数が「２３」になると、選択信号ＶＬＳがＬレベルとされ、再び映像の表示が開始される。この場合も上記奇数フィールドの場合と同様、水平走査線４本に対し１本の割合でＲＧＢ信号の間引きが行われる。ただし、この場合、奇数フィールドのときに間引かれるものとは別の水平走査線に対応したＲＧＢ信号が間引かれる。図７は奇数フィールドにおいて間引きの行われる水平走査線と偶数フィールドにおいて間引きの行われる水平走査線を各々斜線で表示し対比したものである。図示の通り、奇数フィールドにおいて間引きの行われた各水平走査線の間に挟まれた各水平走査線が偶数フィールドにおいて間引きの対象とされるのである。このように奇数フィールドと偶数フィールドとで間引きの対象を異ならせたため、表示情報の欠落を少なくし、画質の劣化を防止することができる。
【００４８】
（２）第２の表示モード
この第２の表示モードにおいては、図４に示すように、液晶表示パネル４の下部に余白領域を設けている。そして、この第２の表示モードにおいては、各フィールドにおいて表示すべき映像のＲＧＢ信号の液晶表示パネル４への書き込みが終わった後、次のフィールドにおいて表示すべき映像のＲＧＢ信号がビデオクロマ回路１から出力されるまでの間にＭＡＳＫ信号を液晶表示パネル４における上記余白領域に対応した各行に書き込まなければならない。上記第１の表示モードでは、信号ＯＦＨを分周したシフトクロックＣＬＹに同期してＭＡＳＫ信号の書き込みを行った。しかし、この第２の表示モードでこのような周波数の低いシフトクロックＣＬＹを使用したのでは、ＭＡＳＫ信号の液晶表示パネル４への書き込みが完了する前に表示対象たる映像のＲＧＢ信号がビデオクロマ回路１から出力されてしまう。そこで、本実施形態においては、図８および図９に示すように、信号ＯＦＨと同じ周波数の信号と信号ＯＦＨを分周した信号とを織り混ぜた周波数の高いシフトクロックＣＬＹを生成し、このシフトクロックＣＬＹを使用してＭＡＳＫ信号の液晶表示パネル４への書き込みを行う。なお、ＲＧＢ信号を液晶表示パネル４に表示させる際の間引き表示制御は上記第１の表示モードの場合と同様であるので説明を省略する。
【００４９】
以上、１６：９のアスペクト比に対応した映像信号を４：３のアスペクト比に対応した液晶表示パネルに表示する場合を例に説明したが、図１０に示すように、４：３のアスペクト比に対応した映像信号を１６：９のアスペクト比に対応した液晶表示パネルに表示する場合にも映像が表示されない余白領域が生じる。従って、このような余白領域の処理に本発明を適用してもよい。
【００５０】
また、例えば、図１１に示すように、ＰＡＬ方式に対応するように設計された液晶表示パネルにＮＴＳＣ方式の映像信号を表示するような、もともとより多くの水平走査線に対応できるように設計された液晶表示パネルに、それより水平走査線数の少ない信号方式の映像を表示する場合にも映像が表示されない余白領域が生じる。従って、このような余白領域の処理にも本発明を適用できる。
【００５１】
【発明の効果】
以上説明したように、この発明によれば、各種のアスペクト比に対応した映像信号、あるいは信号方式の異なる映像信号を共通の液晶表示パネルに表示させる際に生じる余白領域に表示制御を映像信号の処理系の機能を何等変更することなく実施することができるという効果がある。
【図面の簡単な説明】
【図１】この発明の一実施形態である液晶表示装置の構成を示すブロック図である。
【図２】同実施形態の液晶表示パネルの構成を示す図である。
【図３】同実施形態の表示モードを示す図である。
【図４】同実施形態の表示モードを示す図である。
【図５】同実施形態の動作を示すタイムチャートである。
【図６】同実施形態の動作を示すタイムチャートである。
【図７】同実施形態の動作を示すタイムチャートである。
【図８】同実施形態の動作を示すタイムチャートである。
【図９】同実施形態の動作を示すタイムチャートである。
【図１０】本発明の他の実施形態を説明する図である。
【図１１】本発明の他の実施形態を説明する図である。
【符号の説明】
１    ビデオクロマ回路
２    マスク信号発生回路
３    切替回路
４    液晶表示パネル
５    データ線駆動回路
６    走査線駆動回路
７    タイミング信号発生回路
【図１】
0003623304.tif 000002
【図２】
0003623304.tif 000003
【図３】
0003623304.tif 000004
【図４】
0003623304.tif 000005
【図５】
0003623304.tif 000006
【図６】
0003623304.tif 000007
【図７】
0003623304.tif 000008
【図８】
0003623304.tif 000009
【図９】
0003623304.tif 000010
【図１０】
0003623304.tif 000011
【図１１】
0003623304.tif 000012